(57)【要約】【課題】腰痛対策に優れた腰痛ベルトを提供することである。【解決手段】体に巻くように取り付けて用いられる腰痛ベルトであって、第１のシート１と、２のシート４と、前記第１のシート１と第２のシート４との間に設けられてなる気体充填部２と、前記気体充填部２に気体を給・排気できる口部５とを具備する。【選択図】    図１
2004321281.tif 000002
【特許請求の範囲】
【請求項１】
体に巻くように取り付けて用いられる健康器具であって、
第１のシートと、
第２のシートと、
前記第１のシートと第２のシートとの間に設けられてなる気体充填部と、
前記気体充填部に気体を給・排気できる口部
とを具備することを特徴とする健康器具。
【請求項２】
第２のシートの少なくとも一端側は第１のシートに固定されてなることを特徴とする請求項１の健康器具。
【請求項３】
気体充填部は、気体が充填されて膨らんだ際、その突出高さが外側の位置ほど高く突出するよう構成されてなることを特徴とする請求項１又は請求項２の健康器具。
【請求項４】
気体充填部は、気体が充填されて膨らんだ際、その先端部が第１のシートの外表面から突出するよう構成されてなることを特徴とする請求項１〜請求項３いずれかの健康器具。
【発明の詳細な説明】
【０００１】
【発明が属する技術分野】
本発明は、例えば腰痛ベルトと言った健康器具に関する。
【０００２】
【発明が解決しようとする課題】
腰痛対策として腰痛ベルトが用いられている。この腰痛ベルトの構成は周知であり、今更、説明するまでも無いが、簡単に説明すると、伸縮性を備えた長幅のシート（ベルト）からなっている。尚、端部には面ファスナーが設けられていて、これにより腰部にベルトが巻き付けられるようになっている。そして、この巻付時の矯正圧力によって腰痛対策が図られているのである。
【０００３】
ところで、これまでの腰痛ベルトでは、腰痛対策に今一つ物足りないと言う面があった。
【０００４】
従って、本発明が解決しようとする課題は、大きな腰痛対策効果が得られる腰痛ベルトを提供することである。
【０００５】
【課題を解決するための手段】
これまでの腰痛ベルトが物足りないことについての検討が押し進められて行った結果、腰痛ベルトによる矯正圧力が小さいからであろうと考えるに至った。そこで、矯正圧力を高める為には、腰痛ベルトの締付力を大きくすれば良いであろうと考えた。しかしながら、腰痛ベルトを強く締めると、苦しくなるばかりであった。従って、腰痛ベルトを単に強く締め付けるのみでは問題解決には至らない。
【０００６】
そこで、更なる検討が押し進められて行った結果、矯正力が部分的に作用、特に腰部にのみ矯正力が作用するようにしておけば良いであろうと考えるに至った。
【０００７】
このような考えを基にして更なる検討が押し進められて行く中に、椅子に座った時、背部にクッションのようなものが置かれると気持ちが良いことを思い出すに至り、クッション部材を腰痛ベルトに取り付けておけば効果的であろうと考え、クッション部材付きの腰痛ベルトを試作した。
【０００８】
しかしながら、単に、スポンジのようなクッション材をベルトに取り付けたのみでは、腰痛対策効果は今一つであり、かつ、常に嵩張っている為に装着感が悪い時もあり、つまりクッション材は無い方が良い時も有る問題点が認められた。
【０００９】
そこで、更なる検討が押し進められて行った結果、クッション材を風船に変更し、従来の腰痛ベルトと同様な形態で使用したい時には風船内の空気を排気して萎んだ状態のものとしておけば良いであろうと考えるに至った。すなわち、風船付き腰痛ベルトは、風船が萎んでいる時には、従来の腰痛ベルトと同様であり、嵩張るものでは無く、従って従来の腰痛ベルトと同様な特長が奏されるであろうと考えた。
【００１０】
しかしながら、風船が単に取り付けられたに過ぎない腰痛ベルトでは、例えば立っている時などでは、取り付けた風船による矯正圧力が今一つなものであった。
【００１１】
この原因についての検討が更に行われた結果、例えば椅子に座った時の矯正圧力が大きなのは、座った時における椅子の背面部からの力が風船に加わり、そして体側に風船が押し付けられるので、矯正力が高まることに気付いた。
【００１２】
従って、背面部から力が加わるような機能を風船付き腰痛ベルトにも持たせて遣れば良いであろうと考えるに至った。
【００１３】
このような知見に基づいて本発明がなされたものである。
すなわち、前記の課題は、体に巻くように取り付けて用いられる健康器具であって、
第１のシートと、
第２のシートと、
前記第１のシートと第２のシートとの間に設けられてなる気体充填部と、
前記気体充填部に気体を給・排気できる口部
とを具備することを特徴とする健康器具によって解決される。
【００１４】
特に、体に巻くように取り付けて用いられる健康器具であって、
第１のシートと、
前記第１のシートに少なくとも一端側（特に、両端側）が取り付けられた（特に、固着された）第２のシートと、
前記第１のシートと第２のシートとの間に設けられてなる気体充填部と、
前記気体充填部に気体を給・排気できる口部
とを具備することを特徴とする健康器具によって解決される。
【００１５】
尚、上記気体充填部は、気体が充填されて膨らんだ際、その突出高さが外側の位置ほど高く突出するよう構成されているものが好ましい。
又、気体充填部は、気体が充填されて膨らんだ際、その先端部が第１のシートの外表面から突出するよう構成されているものが好ましい。
【００１６】
すなわち、上記のように構成したものは、これが腰部に巻き付けられた状態において、気体（空気）が口部から気体充填部に供給されて膨らんだ状態にあっては、膨らんだ気体充填部の作用によって腰部に矯正力が作用し、単なるベルトの場合以上に矯正力が作用し、腰痛対策に効果的である。
【００１７】
しかも、第２のシートと第１のシートとの間に存在している膨らんだ気体充填部は第２のシートによって第１のシート側に付勢されるようになるから、気体充填部による矯正力は一層高まり、効果的である。
【００１８】
そして、気体充填部が膨らんだ状態では邪魔になる場合には、口部から排気し、萎んだ状態のものとしておけば、その大きさは従来の腰痛ベルトと大差がなく、便利である。
【００１９】
【発明の実施の形態】
図１及び図２は本発明になる健康器具（腰痛ベルト）の一実施形態を示すもので、図１は健康器具（腰痛ベルト）を体に巻き付けている状態の説明図、図２は体に接する側（内側）を示す斜視図である。
【００２０】
本発明になる健康器具、特に腰痛ベルトは、従来の腰痛ベルトと同様に、伸縮性の帯で構成された第１のシート（ベルト）１を有する。勿論、このベルト１は、その端部に面ファスナーが取り付けられていて、図１に示す如く、体に巻き付けることが出来るようになっている。又、ベルト１の幅や長さは従来の腰痛ベルトと同様なものであるから、詳細な説明は省略する。
【００２１】
ベルト１の左右長手方向における中央部には筒状の気体充填部２が取り付けられている。尚、気体充填部は、その筒方向がベルトの左右長手方向では無く、上下幅方向に位置するよう、つまりベルトを体に巻き付けた場合、体の背丈方向になるよう取り付けられている。この気体充填部２は、特に、複数のセルから構成されている。本実施形態では、例えば６個のセルから構成されている。そして、左右の一番外側に位置するセル２ａ，２ａと、一番内側に位置するセル２ｃ，２ｃと、これらの間に位置するセル２ｂ，２ｂとの大きさを比較すると、外側に位置するセル程大きく、つまりセル２ａが一番大きく、セル２ｃが一番小さなものに構成されている。従って、気体充填部２に空気が充填されて膨らんだ状態では、（セル２ａの突出高さ）＞（セル２ｂの突出高さ）＞（セル２ｃの突出高さ）となる。
【００２２】
気体充填部２は、ベルト１の一面側に設けられているのであるが、空気充填状態において、その一部がベルト１の他面側（ベルト１を体に巻き付けた場合、体に接する側）に突出するように構成されている。つまり、ベルト１には円形の孔が形成されており、この円形の孔から空気充填部２の空気充填状態では半球状（ドーム状）に変形・突出するイボ部３が出来るように構成されている。勿論、このイボ部３は気体充填部２とは独立した構造のものとしても良いが、独立タイプの場合には、セル２ａ，２ｂ，２ｃとイボ部３とを膨らませるのに別々に空気を入れて遣らねばならず、これでは手間であることから、セル２ａ，２ｂ，２ｃに空気を入れて遣れば、同時にイボ部３も膨らむように連通タイプのものとしておくのが好ましい。このイボ部３も、左右の一番外側に位置するイボ部３ａ，３ａと、一番内側に位置するイボ部３ｃ，３ｃと、これらの間に位置するイボ部３ｂ，３ｂとの大きさを比較すると、外側に位置するイボ部程大きく、つまりイホ部３ａが一番大きく、イボ部３ｃが一番小さなものに構成されている。従って、気体充填部２に空気が充填されて膨らんだ状態では、（イボ部３ａの突出高さ）＞（イボ部３ｂの突出高さ）＞（イボ部３ｃの突出高さ）となる。
【００２３】
４は、第２のシートである。この第２のシートは、第１のシート１が伸縮性に富む帯で構成されているのに対して、伸縮性が劣る（又は、無い）帯で構成されている。そして、第２のシート４の一端側は第１のシート１に固着（縫い付け）されている。従って、第２のシート４を第１のシート１から完全に取り外すことは出来ない。第２のシート４の他端側も第１のシート１に固着（縫い付け）されている。尚、この他端側には面ファスナーを設けておき、着脱式のものとしておいても良い。但し、第２のシート４を設ける意味は、膨張状態の気体充填部２を第１のシート１側、即ち、体側に付勢するものであることを鑑みると、第２のシート４は伸縮性が無く、かつ、第１のシート１に対して第２のシート４の両端が固着（縫い付け）されている方が好ましい。本実施形態でも、第２のシート４の両端は第１のシート１に固着（縫い付け）されているが、図１では気体充填部２を見せる為に取り外した状態で示している。
【００２４】
５は、気体充填部２に空気を出し入れする為の口部である。図１では、口部５にポンプ６が接続された状態で示している。すなわち、ポンプ６を作動させることにより、口部５から空気が気体充填部２内に供給され、気体充填部２は図１に示されるように膨らむ。そして、この口部５には、当然のことながら、ポンプ６を取り外した時、注入された空気が口部５から勝手に排出されないようストップ機構が施されている。勿論、このストップ機構を解除することによって、気体充填部２内の空気を排気できる。尚、図１では、口部５が、体の前方側に対応した位置ではないものの、これは図示する為の便宜上のものであって、実際には、巻付状態において体の前方側に対応した位置に設けられている。これによって、ポンプ６で気体充填部２に空気を注入する作業性が良いようになっている。
【００２５】
上記のように構成させた本発明になる腰痛ベルトが腰部に巻き付けられ、面ファスナーで腰部に固定された状態にて、ポンプ６を口部５に接続し、空気を注入する。そうすると、図１に示す如く、セル２ａ，２ｂ，２ｃは膨らむ。これによって、腰部には第１のシート１による矯正力が作用するだけで無く、上下方向に長手の筒状のセル２ａ，２ｂ，２ｃによる矯正力が作用するようになり、腰痛対策に一層効果的である。更には、筒状のセル２ａ，２ｂ，２ｃは第１のシート１と第２のシート４とに挟まれていて、第２のシート４によって上下方向に長手の筒状のセル２ａ，２ｂ，２ｃは第１のシート１側、即ち、腰部に押し付けられるようになるから、より一層効果的である。
【００２６】
又、ドーム状（半球状）のイボ部３ａ，３ｂ，３ｃが腰部に押し当てられていることから、腰痛対策に一層効果的である。
【００２７】
又、気体充填部２は複数のセルから構成され、左右の外側に位置するセル程大きく、つまり気体充填部２に空気が充填されて膨らんだ状態において、（セル２ａの突出高さ）＞（セル２ｂの突出高さ）＞（セル２ｃの突出高さ）となっているから、腰部に対する矯正力が効果的である。
【００２８】
【発明の効果】
腰痛対策に極めて効果的である。特に、気体充填部が設けられたのみで無く、膨らんだ気体充填部を体側に押し付けるような機能を奏する第２のシートが設けられていることから、腰痛対策に極めて効果的である。
【図面の簡単な説明】
【図１】本発明の健康器具（腰痛ベルト）の外面側を示す斜視図
【図２】本発明の健康器具（腰痛ベルト）の内面側（取付状態においた体が接する側）を示す斜視図
【符号の説明】
１                    第１のシート
２                    気体充填部
２ａ，２ｂ，２ｃ      セル
３，３ａ，３ｂ，３ｃ  イボ部
４                    第２のシート
５                    口部
【図１】
2004321281.tif 000003
【図２】
2004321281.tif 000004